(57)【要約】【課題】  遊技場の係員が迅速に不正に対する対応が可能な遊技場監視システム、当該監視システムにより監視される遊技機、及び、当該監視システムで使用される携帯端末を提供する。【解決手段】  パチンコ機１に異常が発生し、島管理装置１００へ異常情報が送信された際には、島管理装置１００で異常情報を載せた呼出波が探索アンテナ１１１から送信される。すると遊技島近くにいる係員が所持する携帯端末５１０の認証タグ５１１が受信し、呼出波の異常情報を読み出し、表示パネルに表示し、ブザー音を鳴らして係員に報知する。認証タグ５１１は呼出波の受信に対して反射波を送信するが、島管理装置１００において反射波を受信できなかった場合には、報知されていないとして他の島管理装置１００へ異常情報を載せた呼出波の送信を依頼する依頼情報を送信する。依頼情報を受けた島管理装置１００では異常情報を載せた呼出波が探索アンテナ１１１から送信する。【選択図】  図１
2006288456.tif 000002
【特許請求の範囲】
【請求項１】
遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムであって、
固有の識別情報を記憶したＩＣタグである認証タグを備えており、係員が遊技場内で所持する携帯端末と、
前記認証タグとＲＦＩＤ通信を行うためのアンテナである探索アンテナと、
当該探索アンテナを介して前記認証タグとＲＦＩＤ通信を行うための報知呼出波を送信する報知呼出波送信手段と、
前記監視制御装置において異常と判断された場合には、異常が発生したことを示す異常情報を前記報知呼出波に載せて前記報知呼出波送信手段により送信する第１報知呼出波送信制御手段とを備え、
前記携帯端末は、
前記報知呼出波送信手段により送信された前記報知呼出波を受信する報知呼出波受信手段と、
当該報知呼出波受信手段により受信した前記報知呼出波から前記異常情報を読み出す異常情報読出手段と、
当該異常情報読出手段により前記異常情報が読み出された場合に異常が発生したことを報知する報知手段とを備えたことを特徴とする遊技場監視システム。
【請求項２】
遊技島毎に設置され、当該遊技島に設置されている前記監視制御装置と接続した島管理装置を備え、
当該島管理装置は、
前記探索アンテナ、前記報知呼出波送信手段及び前記第１報知呼出波送信制御手段を備えていることを特徴とする請求項１に記載の遊技場監視システム。
【請求項３】
前記携帯端末は、
当該報知呼出波受信手段により前記報知呼出波を受信した場合に、報知反射波を送信する報知反射波送信手段を備え、
前記島管理装置は、
前記報知呼出波に応じて前記認証タグから返送された前記報知反射波を受信する報知反射波受信手段と、
他の前記島管理装置に対して前記異常情報を載せた前記報知呼出波を送信する依頼を行う依頼情報を送信する依頼情報送信手段と、
前記第１報知呼出波送信制御手段の制御により前記異常情報を載せた前記報知呼出波が前記報知呼出波送信手段から送信されてから所定時間経過しても前記報知反射波受信手段により前記報知反射波を受信しない場合には、当該報知呼出波に載せた前記異常情報を載せた前記報知呼出波の送信を依頼する前記依頼情報を前記依頼情報送信手段により他の前記島管理装置へ送信する依頼情報送信制御手段と、
他の前記島管理装置から送信された前記依頼情報を受信する依頼情報受信手段と、
前記依頼情報受信手段において前記依頼情報を受信した場合には、前記報知呼出波送信手段により前記探索アンテナを介して当該依頼情報により依頼された前記異常情報を載せた前記報知呼出波を送信する第２報知呼出波送信制御手段とを備えたことを特徴とする請求項２に記載の遊技場監視システム。
【請求項４】
請求項１乃至３のいずれかに記載の遊技場監視システムによって監視される遊技機。
【請求項５】
遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムにおいて使用される携帯端末であって、
固有の識別情報を記憶したＩＣタグである認証タグと、
当該認証タグを呼び出す報知呼出波を受信する報知呼出波受信手段と、
当該報知呼出波受信手段により受信した前記報知呼出波から、前記遊技機に異常が発生したことを示す異常情報を読み出す異常情報読出手段と、
当該異常情報読出手段により前記異常情報が読み出された場合に前記遊技機に異常が発生したことを示す報知する報知手段とを備えたことを特徴とする携帯端末。
【発明の詳細な説明】
【技術分野】
【０００１】
本発明は遊技場監視システム、遊技機、及び携帯端末に関し、詳細には、遊技場監視システムにおける不正発生の報知に関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、ＩＣタグを用いて遊技機に対する不正行為を監視するシステムが提案されている（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では、異常が発生した際には、遊技機が設置されている遊技島に備えられた管理機の警告ランプを点灯させて、遊技場の係員に対して報知を行っている。
【０００４】
また、特許文献２に記載の発明の遊技場管理システムでは、磁石などによる不正行為を検出した際に、予め記憶されている外部の連絡先（警察や他の遊技店の電話やファクシミリ）へ通報を行っている。また、特許文献３に記載の遊技システム及び遊技機管理装置ならびにその動作プログラムでは、遊技場において不正者を発見した人物がパチンコ機の情報提供ボタンを操作すると、遊技場管理装置において大当たり回数を精査することにより不正の発生を判断し、不正が検出された場合には、予め設定されている係員所持の携帯端末装置の電子メールアドレスに不正発生のメッセージを記述した電子メールを送信している。
【特許文献１】特開２００２−２３２１９３号公報
【特許文献２】特許３４６８５２５号公報
【特許文献３】特開２００２−３６０９０１号公報
【発明の開示】
【発明が解決しようとする課題】
【０００５】
しかしながら、特許文献１に記載されている監視システムでは、遊技島に備えられている管理機の警告ランプを点灯させるため、係員だけでなく遊技場の他の遊技者に対しても不正の発生を報知してしまい、遊技者の不要な関心を煽ってしまうという問題点がある。また、特許文献２に記載されているような遊技場管理システムでは、不正者が不正行為をやめてしまえば、警察や他店など外部から警察官や担当者が駆けつけても不正の証拠は掴めず、外部に連絡しても迅速な対応ができないという問題点がある。また、特許文献３に記載されているような遊技システムにおいては、周囲の遊技者により不正が発見されて情報提供ボタンが操作されなければ不正が発見できないという問題点がある。また、予め設定されている電子メールアドレスの携帯端末装置を所有する係員が遊技場内にいなければ、迅速な対応ができないという問題点がある。
【０００６】
本発明は、上記課題を解決するためになされたものであり、遊技場の係員が迅速に不正に対する対応が可能な遊技場監視システム、当該監視システムにより監視される遊技機、及び、当該監視システムで使用される携帯端末を提供することを目的とする。
【課題を解決するための手段】
【０００７】
上記課題を解決するため、請求項１に係る発明の遊技場監視システムでは、遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムであって、固有の識別情報を記憶したＩＣタグである認証タグを備えており、係員が遊技場内で所持する携帯端末と、前記認証タグとＲＦＩＤ通信を行うためのアンテナである探索アンテナと、当該探索アンテナを介して前記認証タグとＲＦＩＤ通信を行うための報知呼出波を送信する報知呼出波送信手段と、前記監視制御装置において異常と判断された場合には、異常が発生したことを示す異常情報を前記報知呼出波に載せて前記報知呼出波送信手段により送信する第１報知呼出波送信制御手段とを備え、前記携帯端末は、前記報知呼出波送信手段により送信された前記報知呼出波を受信する報知呼出波受信手段と、当該報知呼出波受信手段により受信した前記報知呼出波から前記異常情報を読み出す異常情報読出手段と、当該異常情報読出手段により前記異常情報が読み出された場合に異常が発生したことを報知する報知手段とを備えている。
【０００８】
また、請求項２に係る発明の遊技場監視システムでは、請求項１に記載の発明の構成に加えて、遊技島毎に設置され、当該遊技島に設置されている前記監視制御装置と接続した島管理装置を備え、当該島管理装置は、前記探索アンテナ、前記報知呼出波送信手段及び前記第１報知呼出波送信制御手段を備えている。
【０００９】
また、請求項３に係る発明の遊技場監視システムでは、請求項２に記載の発明の構成に加えて、前記携帯端末は、当該報知呼出波受信手段により前記報知呼出波を受信した場合に、報知反射波を送信する報知反射波送信手段を備え、前記島管理装置は、前記報知呼出波に応じて前記認証タグから返送された前記報知反射波を受信する報知反射波受信手段と、他の前記島管理装置に対して前記異常情報を載せた前記報知呼出波を送信する依頼を行う依頼情報を送信する依頼情報送信手段と、前記第１報知呼出波送信制御手段の制御により前記異常情報を載せた前記報知呼出波が前記報知呼出波送信手段から送信されてから所定時間経過しても前記報知反射波受信手段により前記報知反射波を受信しない場合には、当該報知呼出波に載せた前記異常情報を載せた前記報知呼出波の送信を依頼する前記依頼情報を前記依頼情報送信手段により他の前記島管理装置へ送信する依頼情報送信制御手段と、他の前記島管理装置から送信された前記依頼情報を受信する依頼情報受信手段と、前記依頼情報受信手段において前記依頼情報を受信した場合には、前記報知呼出波送信手段により前記探索アンテナを介して当該依頼情報により依頼された前記異常情報を載せた前記報知呼出波を送信する第２報知呼出波送信制御手段とを備えている。
【００１０】
また、請求項４に係る発明の遊技機では、請求項１乃至３のいずれかに記載の遊技場監視システムによって監視される。
【００１１】
また、請求項５に係る発明の携帯端末では、遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムにおいて使用される携帯端末であって、固有の識別情報を記憶したＩＣタグである認証タグと、当該認証タグを呼び出す報知呼出波を受信する報知呼出波受信手段と、当該報知呼出波受信手段により受信した前記報知呼出波から、前記遊技機に異常が発生したことを示す異常情報を読み出す異常情報読出手段と、当該異常情報読出手段により前記異常情報が読み出された場合に前記遊技機に異常が発生したことを示す報知する報知手段とを備えている。
【発明の効果】
【００１２】
請求項１に係る発明の遊技場監視システムでは、携帯端末は、固有の識別情報を記憶したＩＣタグである認証タグを備えており、係員が遊技場内で所持することができる。また、探索アンテナは、認証タグとＲＦＩＤ通信を行うためのアンテナとして使用でき、報知呼出波送信手段は、探索アンテナを介して認証タグとＲＦＩＤ通信を行うための報知呼出波を送信し、第１報知呼出波送信制御手段は、監視制御装置において異常と判断された場合には、異常が発生したことを示す異常情報を報知呼出波に載せて報知呼出波送信手段により送信することができる。また、携帯端末は、報知呼出波受信手段は、報知呼出波送信手段により送信された報知呼出波を受信し、異常情報読出手段は、報知呼出波受信手段により受信した報知呼出波から異常情報を読み出し、報知手段は、異常情報読出手段により異常情報が読み出された場合に異常が発生したことを報知することができる。したがって、異常が発生した場合には係員が遊技場内で所持している携帯端末に直ちに報知が行われるので、異常に対する迅速な対応を取ることができる。
【００１３】
また、請求項２に係る発明の遊技場監視システムでは、請求項１に記載の発明の効果に加えて、島管理装置は、遊技島毎に設置され、遊技島に設置されている監視制御装置と接続しており、探索アンテナ、報知呼出波送信手段及び第１報知呼出波送信制御手段を備えることができる。したがって、島管理装置を基点として遊技島毎に監視を行い、異常の発生をその遊技島の近くにいる係員へ報知することができる。よって異常に対する迅速な対応を取ることができる。
【００１４】
また、請求項３に係る発明の遊技場監視システムでは、請求項２に記載の発明の効果に加えて、携帯端末の報知反射波送信手段は、報知呼出波受信手段により報知呼出波を受信した場合に、報知反射波を送信することができる。また、島管理装置の報知反射波受信手段は、報知呼出波に応じて認証タグから返送された報知反射波を受信し、依頼情報送信手段は、他の島管理装置に対して異常情報を載せた報知呼出波を送信する依頼を行う依頼情報を送信し、依頼情報送信制御手段は、第１報知呼出波送信制御手段の制御により異常情報を載せた報知呼出波が報知呼出波送信手段から送信されてから所定時間経過しても報知反射波受信手段により報知反射波を受信しない場合には、報知呼出波に載せた異常情報を載せた報知呼出波の送信を依頼する依頼情報を依頼情報送信手段により他の島管理装置へ送信し、依頼情報受信手段は、他の島管理装置から送信された依頼情報を受信し、第２報知呼出波送信制御手段は、依頼情報受信手段において依頼情報を受信した場合には、報知呼出波送信手段により探索アンテナを介して依頼情報により依頼された異常情報を載せた報知呼出波を送信することができる。したがって、異常の発生した遊技機の設置されている遊技島の近くに係員がいなくても、他の遊技島の近くにいる係員へ異常発生の報知を行うことができる。
【００１５】
また、請求項４に係る発明の遊技機では、請求項１乃至３のいずれかに記載の遊技場監視システムによって監視される。
【００１６】
また、請求項５に係る発明の携帯端末では、報知呼出波受信手段は、認証タグを呼び出す報知呼出波を受信し、異常情報読出手段は、報知呼出波受信手段により受信した報知呼出波から、遊技機に異常が発生したことを示す異常情報を読み出し、報知手段は、異常情報読出手段により異常情報が読み出された場合に遊技機に異常が発生したことを示す報知することができる。遊技機に発生した異常の報知を受けることができる。
【発明を実施するための最良の形態】
【００１７】
以下、本発明の実施の形態について、図面を参照して以下の順で説明する。
１．システム構成の概要説明
２．パチンコ機及びパチンコ機付属機器の説明
３．島管理装置の説明
４．ＩＣタグ及びアンテナの説明
５．異常発生報知に係るデータの説明
６．携帯端末の報知動作の説明
７．請求項との対比
８．変形例の説明
【００１８】
１．システム構成の概要説明
まず、図１及び図２を参照して、本発明の一実施の形態の遊技場監視システムの全体構成について説明する。図１は、遊技場監視システムを示す構成図である。図２は、遊技場監視システムを導入した遊技場内の外観を示す説明図である。
【００１９】
遊技場には、パチンコ機１が設置される設置台である遊技島２００が複数設置されている。遊技島２００では、パチンコ機１が背中合わせに２列に並べられて設置されている。そして、各遊技島２００の内部には、パチンコ機１を監視するための監視制御装置であるＲリーダライタ（以下、ＲＷと称する）３０が、１台のパチンコ機１に１台ずつ設置されている。また、ＲＷ３０は通信ユニット３００を備えており、遊技島２００の外面、パチンコ機１の前面上部に設置されている。この通信ユニット３００には、ＲＷ３０が外部と通信するための種々のアンテナが備えられている。そして、各通信ユニット３００の上側には、遊技者が個々のパチンコ機１の遊技内容（本日の大当たり回数など）に関する情報を入手するための情報表示器２０１が設置されている。
【００２０】
また、遊技島２００にはそれぞれ１台ずつ島管理装置１００が設置されている。この島管理装置１００は、無線ＬＡＮである店内ネットワーク１５０に接続しており、ＲＷ３０は島管理装置１００を介して店内ネットワーク１５０へ接続している。また、店内ネットワーク１５０には遊技者端末４００及びホールコンピュータ６００も接続している。
【００２１】
かかる遊技場監視システムにおいては、各ＲＷ３０により、各パチンコ機１に設置された後述の監視タグ８６と監視アンテナ６８と（図３〜図５参照）のＲＦＩＤ通信を利用して、両者の通信状態に基づいて開閉部材の開閉状態が監視される。ＲＷ３０は、継続的に監視アンテナ６８から監視タグ８６を呼び出す呼出波を送信しており、予めＲＷ３０に登録されているＩＤコードを含む反射波を送信する監視タグ８６とのＲＦＩＤ通信が成立している状態では、監視場所は閉じられている（正常）と判断される。そして、監視タグ８６と監視アンテナ６８とのＲＦＩＤ通信が断たれた場合や、予めＲＷ３０に登録されている監視タグでないＩＣタグとＲＦＩＤ通信をした場合には異常と判断され、ＲＷ３０から島管理装置１００へ「異常情報」が送信される。
【００２２】
また、遊技場の係員は携帯端末５１０を所持している。携帯端末５１０は、係員の身分を証明するためのＩＣタグ（認証タグ５１１）を内蔵している。係員はパチンコ機１の玉詰まりの除去等の作業を行う際に、パチンコ機１の前面枠１１や本体枠１０（図３参照）を開放する。しかしながら、この係員による開放は作業のための開放であり、不正者による不正開放ではない。そこで、係員は携帯端末５１０の認証タグ５１１を用いてＲＷ３０に作業を行う旨を認識させる（「認証状態」とさせる）。
【００２３】
認証タグ５１１には、係員を識別可能なＩＤコード（ＩＣタグ固有の識別コード）が記憶されている。そして、ＲＷ３０には、この認証タグ５１１と通信するための認証アンテナ３０１が備えられ、通信ユニット３００に内蔵されている（図５参照）。そこで、係員は作業を行う前に携帯端末５１０を通信ユニット３００にかざす。すると、認証アンテナ３０１と認証タグ５１１とのＲＦＩＤ通信が成立するので、ＲＷ３０は「認証状態」とされ、監視タグ８６と監視アンテナ６８とのＲＦＩＤ通信が断たれても係員による「作業中」であると判断される。そして、島管理装置１００へは「異常情報」でなく、「作業情報」が送信されることとなる。なお、この「認証状態」は１０秒経過した際に、全ての監視場所が閉じられていれば解除される。また、１０秒経過後に１つでも開放されている監視場所があれば、全ての監視場所が閉じられてから解除される。
【００２４】
また、ＲＷ３０から「異常情報」及び「作業情報」を受信した島管理装置１００は、それらの情報をホールコンピュータ６００へ送信する。そして、各パチンコ機１についての異常情報はホールコンピュータ６００において集計、記憶される。しかし、不正開放が行われた際には、その行為に対して係員が対処する必要がある。そこで、「異常情報」を受信した島管理装置１００では、探索アンテナ１１１（図６参照）から「異常情報」を載せた呼出波（報知呼出波と呼ぶ）を送信する。そして、島管理装置１００の周囲に係員が存在すれば、携帯端末５１０の認証タグ５１１がその報知呼出波を受信する。そして、携帯端末５１０では、受信した報知呼出波に載せられている「異常情報」を読み出し、表示パネル５２８（図７及び図８参照）に表示し、スピーカ５２７からブザー音を出力して報知する。なお、探索アンテナ１１１は、複数設けられており、島管理装置１００の内部、島管理装置１００が設置されているのと反対側の遊技島２００の端、遊技島２００の両側面に所定間隔で設置されている。
【００２５】
なお、認証タグ５１１では、報知呼出波を受信すると、反射波（報知反射波と呼ぶ）を返送する。島管理装置１００では報知反射波を探索アンテナ１１１が受信すれば、周囲の係員へ異常発生の報知が行えたとされ、報知反射波を受信しなければ、周囲に係員がおらず、異常発生の報知が行えなかったとして、近隣の島管理装置１００へ報知を依頼する依頼情報を送信する。依頼情報を受信した島管理装置１００では報知呼出波を探索アンテナ１１１から送信して周囲の係員へ異常発生の報知を行う。本実施の形態では、遊技場内において１５棟の遊技島２００が設置され、それぞれに１０１番から１１５番までの１５個の島管理装置１００が管理番号の順に配置されているとする。例えば、一番壁側の島管理装置１００が１０１番であるとすると、その隣が１０２番、その隣が１０３番と言うように配置されている。そこで、報知反射波を受信しなければ、まず隣（管理番号＋１）の島管理装置１００へ、報知呼出波の送信を依頼する依頼情報（図１０参照）が送信され、隣の島管理装置１００でも報知反射波を受信しなければ、反対の隣（管理番号−１）の島管理装置１００へ依頼情報が送信される。
【００２６】
そして、異常の発生した遊技機の設置されている遊技島２００の島管理装置１００において、予め定められている島管理装置１００の全てにおいて異常発生の報知が行えなかった場合には、ホールコンピュータ６００へ未報知情報が送信され、ホールコンピュータ６００において異常発生及び係員への報知が未実施であることの報知が行われる。
【００２７】
また、遊技者は、遊技者を識別可能なＩＤコードを記憶したＩＣタグである遊技者タグ４１１を内蔵した遊技者カード４１０を所有している。この遊技者タグ４１１には、遊技者を識別可能なＩＤコードの他に、その遊技者の過去の遊技情報が記憶されている。遊技者は、遊技を開始する前に、通信ユニット３００に遊技者カード４１０をセットする。通信ユニット３００には、ＲＷ３０が遊技者タグ４１１とＲＦＩＤ通信を行うための遊技者アンテナ３０２（図５参照）が備えられている。そして、ＲＷ３０では、繰り返し遊技者タグ４１１を呼び出す呼出波を送信しており、遊技者タグ４１１とのＲＦＩＤ通信が成立し、遊技者を認識すると、その後のパチンコ機１の遊技情報（打ち込み球数、払出球数、大当たり抽選回数、大当たり回数など）が所定時間（例えば、１分）ごとに遊技者タグ４１１へ送信され、遊技者タグ４１１のＥＥＰＲＯＭ（図示外）に書き込まれる。また、遊技者タグ４１１に書き込まれる遊技情報は、ＲＷ３０から島管理装置１００を経由して、ホールコンピュータ６００へ送信され、集計、記憶される。
【００２８】
また、遊技者端末４００にも、遊技者タグ４１１とＲＦＩＤ通信するためのアンテナが設けられており、遊技者端末４００は遊技者カード４１０（遊技者タグ４１１）に記憶されている遊技情報を読み出すことができる。そこで、遊技者は、遊技者カード４１０を遊技者端末にセットすることにより、記憶されている遊技情報を閲覧することができる。
【００２９】
２．パチンコ機及びパチンコ機付属機器の説明
次に、図３乃至図６を参照して、パチンコ機１について説明する。図３は、パチンコ機１の前面枠１１及び本体枠１０を開いた状態をパチンコ機１の前面から見た斜視図である。図４は、パチンコ機１の背面図である。図５は、パチンコ機１の電気的構成を示すブロック図である。
【００３０】
図３に示すように、パチンコ機１は、機枠１２と、本体枠１０と、前面枠１１とから構成されている。機枠１２は、パチンコ機１を遊技島２００に固定するためのものである。また、本体枠１０は、前面側に遊技領域４を有する遊技盤２、遊技球を貯留するための上皿５や下皿６等を備え、裏面側には機構部としての機構板、パチンコ機１の制御を司る種々の基板等が設置されている。そして前面枠１１は、遊技盤を覆うためのガラス板を保持している。さらに、遊技領域４には、図柄表示装置や各種入賞口等が設けられている。
【００３１】
図４に示すように、パチンコ機１背面の下部には、パチンコ機１の主制御を司る主基板４１を収納した主基板ケース８１、遊技球の払い出しを制御する払出制御基板４５を収容した払出制御基板ケース８２等が配置されている。また、機構板は、遊技球を払い出すための払出装置６７を備えている。
【００３２】
次に、図５を参照してパチンコ機１の主な構成要素の電気的構成について説明する。パチンコ機１には、主基板４１、払出制御基板４５をはじめ図示外の電源基板、音基板、図柄表示基板、電飾基板、中継基板、発射基板、サブ統合基板等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とを備えている。また、ＣＰＵ５１は、Ｉ／Ｏインタフェイス５４に接続しており、Ｉ／Ｏインタフェイス５４には払出制御基板４５及び出力ポート５５が接続している。なお、パチンコ機１は遊技島２００に備えられた電源から電源供給を受けている。
【００３３】
また、図３及び図４に示すように、監視タグ８６ａ〜８６ｃが主基板ケース８１、機枠１２、前面枠１１に貼り付けられている。そして、主基板ケース８１、機枠１２と本体枠１０、本体枠１０と前面枠１１の開閉の監視が行われている。そして、各監視場所が閉じられた状態において、監視タグ８６と対峙し、ＲＦＩＤ通信が可能な位置に監視アンテナ６８が備えられている。そこで、主基板ケース８１に貼り付けられた監視タグ８６をケースタグ８６ａ、機枠１２に貼り付けられた監視タグ８６を機枠タグ８６ｂ、前面枠１１に貼り付けられた監視タグ８６を前面枠タグ８６ｃとする。なお、ケースタグ８６ａと通信する監視アンテナ６８をケースアンテナ６８ａ、機枠タグ８６ｂと通信する監視アンテナ６８を機枠アンテナ６８ｂ、前面枠タグ８６ｃと通信する監視アンテナ６８を前面枠アンテナ６８ｃとする。なお、主基板４１が収容されている主基板ケース８１を監視場所１とし、本体枠１０と機枠１２を監視場所２とし、前面枠１１と本体枠１０を監視場所３とする。
【００３４】
次に、図５を参照してＲＷ３０について説明する。ＲＷ３０には、ＲＷ３０の制御を司るＣＰＵ３２が設けられている。ＣＰＵ３２にはフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６へ呼出波を送信し、反射波を受信するためのＲａｄｉｏ  Ｆｒｅｑｕｅｎｃｙ回路（以下、ＲＦ回路と称する）３８、時間管理を行うＲＴＣ（以下、Ｒｅａｌ  Ｔｉｍｅ  Ｃｌｏｃｋと称する）７１、Ｉ／Ｏインタフェイス３７が接続している。Ｉ／Ｏインタフェイス３７には、パチンコ機１の主基板４１の出力ポート５５と接続する入力ポート３９、島管理装置１００を介して店内ネットワーク１５０に接続するため通信回路３６が接続されている。
【００３５】
そして、ＲＦ回路３８には、認証タグ５１１とＲＦＩＤ通信するための認証アンテナ３０１、及び、遊技者カード４１０とＲＦＩＤ通信するための遊技者アンテナ３０２がケーブルで接続しており、当該パチンコ機１の前面に設置されている通信ユニット３００内に設けられている。また、パチンコ機１の各監視場所に貼り付けられている監視タグ８６ａ〜８６ｃとＲＦＩＤ通信するための監視アンテナ６８ａ〜６８ｃもＲＦ回路３８に接続している。
【００３６】
３．ＩＣタグ及びアンテナの説明
次に、監視タグ８６、遊技者カード４１０、認証タグ５１１について説明する。監視タグ８６、遊技者カード４１０は１３．５６ＭＨｚの短波帯でＲＦＩＤ通信を行うＩＣタグである。
【００３７】
例えば、ケースタグ８６ａが貼り付けられてその開放が監視される主基板ケース８１では、上蓋部及び下蓋部の中に主基板４１が収納され、上蓋部と下蓋部とは開かないようにかしめられている。そして、ケースアンテナ６８ａは主基板ケース８１の下蓋部に設置されており、ケースタグ８６ａは上蓋部に設置されている。そして、ケースアンテナ６８ａとケースタグ８６ａとの距離は、主基板ケース８１の上蓋部と下蓋部を組み付けた状態で約３ｍｍになるように配置されている。この距離間ではＲＦＩＤ通信が可能であり、ケースアンテナ６８ａとケースタグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。
【００３８】
また、機枠タグ８６ｂと機枠アンテナ６８ｂとの通信可能距離についても、機枠１２と本体枠１０とを閉じた状態では通信可能となり、少しでも開けられた状態（例えば、５ｍｍを超えた状態）では通信不能となるように、機枠アンテナ６８ｂのコイルの巻き数やリアクタンス値の調節が行われている。そして、前面枠タグ８６ｃと前面枠アンテナ６８ｃとの通信可能距離についても、前面枠１１と本体枠１０とを閉じた状態では通信可能となり、少しでもあけられた状態（例えば、３ｍｍを超えた状態）では通信不能となるように、前面枠アンテナ６８ｃのコイルの巻き数やリアクタンス値の調節が行われている。
【００３９】
また、認証タグ５１１は、９５０ＭＨｚのＵＨＦ帯を利用している。このＵＨＦ帯を利用したＩＣタグでは、数ｍと通信距離が長く、アンテナから発信される電波の波長が長いと共に、電波の回り込み易いので、係員が所持している認証タグ５１１をアンテナに近づけなくてもＲＦＩＤ通信を行うことが可能である。前述したように、認証タグ５１１と通信するための探索アンテナ１１１は、遊技島２００に複数設置されており、遊技島２００の周囲に隈なく探索アンテナ１１１から発せられる報知呼出波が届くように構成されているので、遊技島２００の周囲に認証タグ５１１を内蔵した携帯端末５１０を所有した係員がいれば、島管理装置１００は認証タグ５１１とＲＦＩＤ通信を行うことができる。また、探索アンテナ１１１から発信される電波の届かない場所にいる係員の携帯端末５１０の認証タグ５１１とはＲＦＩＤ通信が成立しないため、遊技島２００から離れている係員に報知することはない。なお、認証を行うための認証アンテナ３０１は通信ユニット３００の正面側内部に設置されており、短い距離（例えば、２ｃｍ）に認証タグ５１１が近づかないとＲＦＩＤ通信ができないように、コイルの巻き数やリアクタンス値の調節が行われている。
【００４０】
また、遊技者アンテナ３０２は通信ユニット３００の内部に設置されている。通信ユニット３００は遊技者カード４１０を保持できるように、その上面にカード差込口が設けられている。そして、遊技者カード４１０がカード差込口に挿入された状態で通信可能なようにコイルの巻き数やリアクタンス値の調節が行われている。
【００４１】
３．島管理装置の説明
次に、図６を参照して、島管理装置１００について説明する。図６は、島管理装置１００の電気的構成を示すブロック図であり、図６に示すように、島管理装置１００は、ＣＰＵ１０１を備えており、ＲＡＭ１０２，ＲＯＭ１０３，ＥＥＰＲＯＭ１０４，Ｉ／Ｏインタフェイス１０５、ＲＴＣ１１２がＣＰＵ１０１に接続している。さらに、ＣＰＵ１０１にはＲＦ回路１０８が接続されており、このＲＦ回路１０８は、携帯端末５１０の認証タグ５１１とＲＦＩＤ通信するための探索アンテナ１１１を備えている。そして、Ｉ／Ｏインタフェイス１０５には、店内ネットワーク１５０へ接続するための通信回路１１０が接続している。また、Ｉ／Ｏインタフェイス１０５には、遊技島２００の監視の状態を示すメッセージ等を表示する表示器１０７が設けられている。また、ＥＥＰＲＯＭ１０４には、遊技場内の島管理装置１００へデータを送信する際の送信先アドレス、使用可能な認証タグ５１１のＩＤコード等の情報が記憶されている。
【００４２】
４．携帯端末の説明
次に、図７及び図８を参照して、携帯端末５１０について説明する。図７は、携帯端末５１０の正面図であり、図８は、携帯端末５１０の電気的構成を示すブロック図である。携帯端末５１０は、係員がポケット等に入れて所持可能なサイズの略直方体の端末装置である。図７に示すように、その正面の長手方向を縦方向、短手方向を横方向として、図７における上部に表示パネル５２８が設けられており、その下部に入力ボタン５２６、スピーカ５２７が備えられている。また、入力ボタン５２６とスピーカ５２７との間の内部には、認証タグ５１１が備えられている。図７に示す例では、表示パネル５２８に「１０１番台  ２００５．０３．１１  １１：２８：４６  前面枠異常開放！！」という前面枠が開放されている異常が発生している旨を示すメッセージが表示されている。
【００４３】
図８に示すように、携帯端末５１０にはその制御を司るＣＰＵ５２０が備えられており、ＲＯＭ５２１及びＲＡＭ５２２が内蔵され、ＥＥＰＲＯＭ５２３が接続している。さらにＣＰＵ５２０はＩ／Ｏインタフェイス５２４を接続しており、Ｉ／Ｏインタフェイス５２４を介してＣＰＵ５２０にバッテリ５２５、入力ボタン５２６、スピーカ５２７、表示パネル５２８、認証タグ５１１が接続している。バッテリ５２５は当該携帯端末５１０を駆動するための電源であり、認証タグ５１１もこのバッテリ５２５から電源供給を受けている。入力ボタン５２６は入力を行うためのボタンである。そして、スピーカ５２７からは異常発生の報知が行われる際に警告音等が出力され、表示パネル５２８へは異常の内容が表示される。
【００４４】
そして、認証タグ５１１はＣＰＵ５１２を備えており、認証タグアンテナ５１５を備えた、ＲＦＩＤ通信を行うためのＲＦ回路５１３及びＥＥＰＲＯＭ５１４を接続している。ＥＥＰＲＯＭ５１４には、当該認証タグ５１１を識別するためのユニークなＩＤコードが記憶されている。
【００４５】
５．異常発生報知に係るデータの説明
まず、図９及び図１０を参照して、異常発生報知に係るデータについて説明する。図９は、ＲＷ３０から島管理装置１００へ送信される異常情報１６０の模式図であり、図１０は、異常の発生した遊技機が設置されている島管理装置１００から近隣の島管理装置１００へ送信される依頼情報１６１の模式図である。
【００４６】
本実施の形態では、ＲＷ３０においてパチンコ機１の異常を検出すると、島管理装置１００へ「異常情報」（例えば、図９に示す異常情報１６０）が送信される。そして、島管理装置１００では異常情報１６０を受信するとその異常情報１６０を載せた報知呼出波が探索アンテナ１１１から送信される。その報知呼出波を受信した認証タグ５１１があれば、報知反射波を返送してくる。そこで、島管理装置１００は報知反射波を受信できなければ、報知が行われていないことになるので、依頼情報１６１の内容を報知する依頼を行う「依頼情報」（例えば、図１０に示す依頼情報１６１）を所定の島管理装置１００へ送信する。
【００４７】
依頼情報１６１を受信した島管理装置１００では、依頼情報１６１に含まれている異常情報を載せた報知呼出波を送信し、報知反射波を受信すれば、報知を行えたことを示すコードがセットされている「報知済情報」を依頼元の島管理装置１００へ送信し、報知反射波を受信できなければ、報知を行うことができなかったことを示すコードがセットされている「報知不能情報」を依頼元の島管理装置１００へ送信する。
【００４８】
また、依頼元の島管理装置１００では、全ての島管理装置１００から「報知不能情報」を受信した場合には報知が行えていないので、その異常情報をホールコンピュータ６００で報知するための「未報知情報」が送信される。そして、ホールコンピュータ６００では「未報知情報」を受信したら、異常の内容及び異常発生の報知が行えなかったことが報知される。
【００４９】
図９に示すように、異常情報１６０には「区分」欄、「台番号」欄、「日時」欄、「監視場所」欄、「内容」欄、「状態」欄が設けられている。「区分」欄は「異常情報」であることを示す値「１」がセットされる。「台番号」欄には当該異常情報を作成したＲＷ３０が設置されているパチンコ機１の台番号がセットされ、「日時」欄はその監視情報が作成された日時がセットされ、「監視場所」欄には異常が発生／回復した又は作業が行われた監視場所を示す番号がセットされる。本実施の形態では、「１」は監視場所１（主基板４１が収容されている主基板ケース８１）を示し、「２」は監視場所２（本体枠１０と機枠１２）を示し、「３」は監視場所３（前面枠１１と本体枠１０）を示している。
【００５０】
そして、「内容」欄は異常の内容が「ＩＤエラー」であるか、「応答エラー」であるかを示す情報がセットされる。予め登録されていないＩＤコードのＩＣタグとＲＦＩＤ通信したことによる「ＩＤエラー」では「１」がセットされ、呼出波に対してＩＣタグから反射波の応答がない「応答エラー」では「０」がセットされる。そして、「状態」欄は異常の「発生」であるか、「回復」であるかを示す情報がセットされる。「発生」では「１」がセットされ、「回復」では「０」がセットされる。
【００５１】
図９に示す例では、異常情報１６０には「区分」欄に「異常情報」であることを示す「１」がセットされており、「台番号」欄には「１０１」がセットされており、「日時」欄には「２００５．０３．１１  １１：２８：４６」がセットされており、「監視場所」欄には監視場所３（前面枠１１と本体枠１０）を示す「３」がセットされており、「内容」欄には応答エラーを示す「０」がセットされており、「状態」欄には発生を示す「１」がセットされている。
【００５２】
また、図１０に示すように、依頼情報１６１には「区分」欄、「宛先」欄、「応答先」欄、「異常情報」欄が設けられている。「区分」欄は、この情報が依頼情報であることを示すコードであり「３」がセットされており、「宛先」欄は、この依頼情報の送信先の島管理装置１００の管理番号がセットされ、「応答先」欄は、依頼に対する応答をする島管理装置１００の管理番号がセットされる。「異常情報」欄には、報知を行う異常についての異常情報がセットされる。尚、依頼情報にセットされる情報は必ず異常情報であるので、異常情報１６０にある「区分」欄は省かれている。
【００５３】
図１０に示す例では「区分」欄に「１」がセットされ、「宛先」欄に「１０８」がセットされ、「応答先」欄に「１０７」がセットされている。「異常情報」欄には、図９に示した異常情報１６０と同様、「台番号」欄に「１０１」がセットされており、「日時」欄に「２００５．０３．１１  １１：２８：４６」がセットされており、「監視場所」欄に監視場所３（前面枠１１と本体枠１０）を示す「３」がセットされており、「内容」欄に応答エラーを示す「０」がセットされており、「状態」欄に発生を示す「１」がセットされている。
６．島管理装置の動作の説明
次に、図１１乃至図１４のフローチャートを参照して、本実施の形態における島管理装置１００の報知動作の説明をする。図１１はメイン処理のフローチャートであり、図１２は、メイン処理で行われる報知処理のフローチャートであり、図１３は、メイン処理で行われる依頼処理のフローチャートであり、図１４は、メイン処理で行われる依頼中処理のフローチャートである。
【００５４】
島管理装置１００は、遊技店の開店前の所定時間にホールコンピュータ６００からの指示により起動する。そして、自身の動作確認等の初期処理が行われる（Ｓ１０１）。そして、作業情報をＲＷ３０から受信した場合には（Ｓ１０２：ＹＥＳ）、その作業情報が店内ネットワーク１５０によりホールコンピュータ６００へ送信され（Ｓ１０７）、Ｓ１０２へ戻る。また、異常情報をＲＷ３０から受信した場合には（Ｓ１０２：ＮＯ，Ｓ１０３：ＹＥＳ）、異常発生を報知する必要があるので報知処理が行われ（Ｓ１０８、図１２参照）、Ｓ１０２へ戻る。報知処理については、図１２を参照して後述するが、ここでは、報知呼出波の送信が行われると共に、ホールコンピュータ６００へ異常情報が送信される。そして、報知反射波が受信できなかった場合には隣の島管理装置１００へ依頼情報を送信する。
【００５５】
また、依頼情報を他の島管理装置１００から受信した場合には（Ｓ１０２：ＮＯ，Ｓ１０３：ＮＯ，Ｓ１０４：ＹＥＳ）、その依頼に応えて依頼処理が行われ（Ｓ１０９、図１３参照）、Ｓ１０２へ戻る。依頼処理については、図１３を参照して後述するが、ここでは、報知呼出波の送信が行われ、報知反射波を受信した場合には送信元の島管理装置１００へ報知済情報が送信され、報知反射波を受信できなかった場合には送信元の島管理装置１００へ報知不能情報が送信される。
【００５６】
作業情報、異常情報、依頼情報を受信しない場合には（Ｓ１０２：ＮＯ，Ｓ１０３：ＮＯ，Ｓ１０４：ＮＯ）、依頼フラグが「ＯＮ」であるか否かの判断が行われる（Ｓ１０６）。この依頼フラグは、報知処理において隣の島管理装置１００へ依頼情報を送信した場合に「ＯＮ」（「１」）とされている。そこで、依頼フラグが「ＯＮ」であれば（Ｓ１０６：ＹＥＳ）、依頼中処理が行われる（Ｓ１１０、図１４参照）。この依頼中処理については、図１４を参照して後述するが、ここでは、依頼情報の送信に対する処理、報知済情報や報知不能情報の受信処理が行われ、報知不能情報を受信したり所定時間（例えば、２０秒）以内に報知済情報を受信しない際に、次の島管理装置１００へ依頼情報を送信する処理が行われる。
【００５７】
また、依頼フラグが「ＯＮ」でなければ（Ｓ１０６：ＮＯ）、その他の処理が行われる（Ｓ１１５）。そして、終了の指示をホールコンピュータ６００から受信したか否かの判断が行われ（Ｓ１１６）、受信していなければ（Ｓ１１６：ＮＯ）、Ｓ１０２へ戻り、繰り返しＳ１０２〜Ｓ１０６，Ｓ１１６の判断処理が行われ、それに応じた処理が行われる。なお、終了指示をホールコンピュータ６００から受信したら（Ｓ１１６：ＹＥＳ）、終了処理が行われて（Ｓ１１７）、本処理は終了し、島管理装置１００は電源ＯＦＦされる。
【００５８】
次に、図１２のフローチャートを参照して、報知処理（図１１，Ｓ１０８）について説明する。ＲＷ３０から異常情報を受信したら（図１１、Ｓ１０３：ＹＥＳ）、まずホールコンピュータ６００へその異常情報が送信される（Ｓ１２１）。そして、周囲にいる係員に異常発生を報知するために探索アンテナ１１１から認証タグ５１１を呼び出すための報知呼出波が送信される（Ｓ１２２）。そして、認証タグ５１１からの報知呼出波に対する報知反射波の受信処理が行われる（Ｓ１２３）。ここでは、所定時間（例えば、５秒間）報知反射波の受信が待機され、受信した報知反射波からＩＤコードが読み出され、ＲＡＭ１０２に記憶される。なお、このＩＤコードが記憶されるＲＡＭ１０２の記憶エリアは、報知呼出波を送信する際に初期化されている。
【００５９】
そして、認証タグ５１１から報知反射波を受信したか否かの判断が行われる（Ｓ１２４）。ＲＡＭ１０２に報知反射波から読み出されたＩＤコードが記憶されていれば、報知反射波を受信していることになる（Ｓ１２４：ＹＥＳ）。報知反射波を受信したならば、島管理装置１００の周囲に認証タグ５１１が存在している、即ち、係員が存在しており、異常発生の報知を行えたことになるので、そのまま報知処理は終了し、メイン処理へ戻りＳ１０２へ進む。
【００６０】
また、ＲＡＭ１０２にＩＤコードが記憶されていないＩＣタグと通信を行ったり、認証タグ５１１から報知反射波を受信していなかったりした場合には（Ｓ１２４：ＮＯ）、周囲に係員がいないことになるので、近隣の島管理装置１００へ報知呼出波の送信を依頼する必要がある。そこで、まず、依頼フラグに「１」が記憶されて「ＯＮ」とされる（Ｓ１２５）。そして、タイマカウンタがスタートされる（Ｓ１２６）。そして、依頼情報送信管理のための変数ｐ、ｍ、Ｎ、ｎに値がセットされる（Ｓ１２７）。
【００６１】
変数ｐには、一番端の島管理装置１００まで依頼情報が送信された場合に「１」が加算され、初期値は「０」、一方の端まで送信された場合には「１」、両方の端まで送信された場合、すなわち全ての島管理装置１００へ送信された場合には「２」となっている。また、変数ｎは、依頼情報を送信する島管理装置１００の管理番号を示す変数である。変数ｍは、自身から何台離れた島管理装置１００であるかを示す変数であり、変数ｎを決定するための変数として使用される。また、変数Ｎは自身の管理番号がセットされる。なお、変数ｍの初期値は「１」、変数ｎの初期値は「Ｎ＋ｍ」とされる。したがって、まず自身の管理番号よりも１番大きい番号の島管理装置１００へ依頼情報が送信されることになる。
【００６２】
そして、Ｓ１２１で送信した依頼情報を含む依頼情報が作成され、管理番号がｎである島管理装置１００への送信される（Ｓ１２８）。そして、報知処理は終了し、メイン処理へ戻りＳ１０２へ進む。
【００６３】
次に、図１３のフローチャートを参照して、依頼処理（図１１、Ｓ１０９）について説明する。他の島管理装置１００から依頼情報を受信したら（図１１、Ｓ１０４：ＹＥＳ）、まず周囲にいる係員へ報知するために探索アンテナ１１１から認証タグ５１１を呼び出すための報知呼出波が送信される（Ｓ１４１）。そして、認証タグ５１１からの報知呼出波に対する報知反射波の受信処理が行われる（Ｓ１４２）。ここでは、所定時間（例えば、５秒間）報知反射波の受信が待機され、受信した報知反射波からＩＤコードが読み出され、ＲＡＭ１０２に記憶される。なお、このＩＤコードが  記憶されるＲＡＭ１０２の記憶エリアは、報知呼出波を送信する際に初期化されている。
【００６４】
そして、認証タグ５１１から報知反射波を受信したか否かの判断が行われる（Ｓ１４３）。ＲＡＭ１０２に報知反射波から読み出されたＩＤコードが記憶されていれば、報知反射波を受信していることになる（Ｓ１４３：ＹＥＳ）。そこで、報知済情報が作成され、依頼情報に指定されている送信元の島管理装置１００へ送信される（Ｓ１４５）。そして、依頼処理は終了し、メイン処理へ戻りＳ１０２へ進む。
【００６５】
また、ＲＡＭ１０２にＩＤコードが記憶されていなかったり、認証タグ５１１から報知反射波を受信していなかったりした場合には（Ｓ１４３：ＮＯ）、周囲に係員がいないことになるので、その旨を示す報知不能情報が作成され、依頼情報に指定されている送信元の島管理装置１００へ送信される（Ｓ１４４）。そして、依頼処理は終了し、メイン処理へ戻りＳ１０２へ進む。
【００６６】
次に、図１４を参照して、依頼中処理（図１１、Ｓ１１０）について説明する。いずれの情報も受信せずに（Ｓ１０２：ＮＯ、Ｓ１０３：ＮＯ、Ｓ１０４：ＮＯ）、依頼フラグが「ＯＮ」であれば（Ｓ１０６：ＹＥＳ）、まず、タイマカウンタが１０秒を経過しているか否かの判断が行われる（Ｓ１６１）。１０秒経過していなければ（Ｓ１６１：ＮＯ）、まだ報知済情報又は報知不能情報の受信を待機するので、報知済情報を受信したか否かの判断（Ｓ１６２）及び報知不能情報を受信したか否かの判断が行われる（Ｓ１６３）。報知済情報が受信された場合には（Ｓ１６２：ＹＥＳ）、異常発生の報知はすでに行われたということなので、タイマカウンタが停止され（Ｓ１６４）、依頼フラグが「ＯＦＦ」される（Ｓ１６５）。そして、メイン処理へ戻りＳ１０２へ進む。
【００６７】
また、報知不能情報を受信した場合には（Ｓ１６２：ＮＯ、Ｓ１６３：ＹＥＳ）、依頼した島管理装置１００において係員へ報知されなかったということなので、他の島管理装置へ依頼情報を送信する必要がある。そこで、まず、変数ｐの値が「２」であるか否かの判断が行われる（Ｓ１６６）。変数ｐの値が「２」でなければ（Ｓ１６６：ＮＯ）、まだ依頼をしていない島管理装置１００が存在するので、Ｓ１６７へ進む。変数ｐの値が「２」であれば（Ｓ１６６：ＹＥＳ）、すでに全ての島管理装置１００へ依頼済であり、そのどこにも係員おらず、報知されなかったということになるので、ホールコンピュータ６００へ未報知情報が送信される（Ｓ１９１）。そして、メイン処理へ戻りＳ１０２へ進む。
【００６８】
なお、Ｓ１６７では、まず、変数ｎ（前回依頼情報を送信した島管理装置１００の管理番号）が自身の管理番号Ｎよりも大きいか否かの判断が行われる（Ｓ１６７）。大きい場合には（Ｓ１６７：ＹＥＳ）、自身の管理番号Ｎよりも管理番号が小さい側の島管理装置１００のうち、まだ依頼情報を送信していない島管理装置１００で一番近い島管理装置１００に依頼情報を送信したい。そこで、変数ｎに自身の管理番号Ｎから変数ｍの値を引いた値がセットされる（Ｓ１７１）。例えば、自身の管理番号が「１０７」であり、変数ｎが「１０８」の際には、変数ｍは「１」となっているので、新たな変数ｎは「１０７−１＝１０６」となる。
【００６９】
そして、新たな変数ｎの値が管理番号の最小値ＭＩＮよりも小さいか否かの判断が行われる（Ｓ１７２）。新たな変数ｎの値が最小の管理番号よりも小さくなければ（Ｓ１７２：ＮＯ）、タイマカウンタが再スタートされ（Ｓ１７３）、管理番号がｎである島管理装置１００への依頼情報が作成、送信される（Ｓ１７４）。そして、報知処理は終了し、メイン処理へ戻りＳ１０２へ進む。
【００７０】
また、新たな変数ｎの値が最小の管理番号（ＭＩＮ）よりも小さければ（Ｓ１７２：ＹＥＳ）、その管理番号の島管理装置１００は存在せず、そちら側の端まで依頼が完了したことになる。そこで、変数ｐに「１」が加算される（Ｓ１７５）。ここで、変数ｐの値が「２」となった場合には（Ｓ１７６：ＹＥＳ）、全ての島管理装置１００へ依頼済みであるということなので、Ｓ１９１へ進み、ホールコンピュータ６００へ未報知情報が送信される（Ｓ１９１）。そして、メイン処理へ戻りＳ１０２へ進む。変数ｐの値が「２」となっていなければ（Ｓ１７６：ＮＯ）、まだ依頼していない島管理装置１００があるので、次の島管理装置１００として、反対側の島管理装置１００で依頼情報を送信しておらず一番近いものへ依頼情報を送信するために、Ｓ１８０へ進む。
【００７１】
また、Ｓ１６７において、変数ｎが自身の管理番号Ｎよりも大きくないと判断された場合には（Ｓ１６７：ＮＯ）、自身の管理番号Ｎよりも管理番号が大きい側の島管理装置１００のうち、まだ依頼情報を送信していない島管理装置１００で一番近い島管理装置１００に依頼情報を送信したい。そこで、前回依頼情報を送信した島管理装置１００が自身から何台離れているかを示す変数ｍに「１」が加算され（Ｓ１８０）、変数ｎに自身の管理番号Ｎに変数ｍの値を加算した値がセットされる（Ｓ１８１）。
【００７２】
そして、新たな変数ｎの値が管理番号の最大値ＭＡＸよりも大きいか否かの判断が行われる（Ｓ１８２）。新たな変数ｎの値が最大の管理番号（ＭＡＸ）よりも大きくなければ（Ｓ１８２：ＮＯ）、タイマカウンタが再スタートされ（Ｓ１８３）、管理番号がｎである島管理装置１００への依頼情報が作成、送信される（Ｓ１８４）。そして、依頼中処理は終了し、メイン処理へ戻りＳ１０２へ戻る。
【００７３】
また、新たな変数ｎの値が最大の管理番号よりも大きければ（Ｓ１８２：ＹＥＳ）、その管理番号の島管理装置１００は存在せず、そちら側の端まで依頼が完了したことになる。そこで、変数ｐに「１」が加算される（Ｓ１８５）。ここで、変数ｐの値が「２」となった場合には（Ｓ１８６：ＹＥＳ）、全ての島管理装置１００へ依頼済みであるということなので、Ｓ１９１へ進み、ホールコンピュータ６００へ未報知情報が送信される（Ｓ１９１）。そして、メイン処理へ戻りＳ１０２へ進む。変数ｐの値が「２」となっていなければ（Ｓ１８６：ＮＯ）、まだ依頼していない島管理装置１００があるので、そして、次の島管理装置１００として、反対側の島管理装置１００で依頼情報を送信しておらず一番近いものへ依頼情報を送信するために、Ｓ１７１へ進む。
【００７４】
以上のようにして、島管理装置１００では、ＲＷ３０から異常情報が送信された際には、その異常情報を載せた報知呼出波が送信される。周囲に係員がいる場合には、係員が携帯している携帯端末５１０に内蔵された認証タグ５１１がその報知呼出波を受信してＲＦＩＤ通信が成立し、報知反射波を返送してくるので係員が存在したことがわかる。また、報知反射波の返送がなければ、係員が存在しておらず報知が行えなかったこととなるので、他の島管理装置１００へ依頼情報を送信する。
【００７５】
例えば、番号１１４の島管理装置１００が設置されている遊技島２００のパチンコ機１において不正な開放が発生し、１１２〜１１５番の島管理装置１００の周囲に係員はおらず、その近隣の島管理装置１００では１１２番の島管理装置１００の周囲にＩＤコード「ａ７ｔ８ｅｂ４ｒ」の認証タグ５１１の携帯端末５１０を所有する係員がいたとする。
【００７６】
この場合には、異常情報を受信した島管理装置１００は（図１１、Ｓ１０３：ＹＥＳ）、ホールコンピュータ６００へ異常情報を送信し（図１２、Ｓ１２１）、探索アンテナ１１１から報知呼出波を送信する（Ｓ１２２）。そして、受信処理を行う（Ｓ１２３）。しかし、島管理装置１００の周囲に係員はいないので（Ｓ１２４：ＮＯ）、依頼フラグをＯＮとし（Ｓ１２５）、タイマカウンタをスタートさせる（Ｓ１２６）。そして、変数ｐに「０」、変数ｍに「１」、変数Ｎに「１１４」、変数ｎに「１１４＋１＝１１５」がセットされる（Ｓ１２７）。そして、１０８番の島管理装置１００へ区分「１」、宛先「１１５」、送信元「１１４」の依頼情報（図１８参照）が送信される（Ｓ１２８）。
【００７７】
ところで、依頼情報を受信した１０８番の島管理装置１００では（図１１、Ｓ１０４：ＹＥＳ）、探索アンテナ１１１から報知呼出波を送信し（図１３、Ｓ１４１）、受信処理を行う（Ｓ１４２）。そこで、１０８番の島管理装置１００の周囲に係員はいないので（Ｓ１４３：ＮＯ）、宛先「１０８」の報知不能情報を作成、送信する（Ｓ１４４）。
【００７８】
そこで、１１４番の島管理装置１００では、報知不能情報を受信する（図１１、Ｓ１０６：ＹＥＳ，Ｓ１１０、図１４、Ｓ１６１：ＮＯ，Ｓ１６２：ＮＯ，Ｓ１６３：ＹＥＳ）。変数ｐは「０」のままであり（Ｓ１６６：ＮＯ）、変数ｎ「１１５」＞変数Ｎ「１１４」であるので（Ｓ１６７：ＹＥＳ）、変数ｎに「１１４−１＝１１３」がセットされ（Ｓ１７１）、変数ｎ「１１３」＞最小管理番号「１０１」なので（Ｓ１７２：ＮＯ）、タイマカウンタが再スタートして（Ｓ１７３）、１１３番の島管理装置１００へ区分「１」、宛先「１１３」、送信元「１１４」の依頼情報を送信する（Ｓ１４４）。
【００７９】
依頼情報を受信した１１３番の島管理装置１００では（図１１、Ｓ１０４：ＹＥＳ）、探索アンテナ１１１から報知呼出波を送信し（図１３、Ｓ１４１）、受信処理を行う（Ｓ１４２）。そこで、１１４番の島管理装置１００の周囲に係員はいないので（Ｓ１４３：ＮＯ）、宛先「１１４」の報知不能情報を作成、送信する（Ｓ１４４）。
【００８０】
そこで、１１４番の島管理装置１００では、報知不能情報を受信する（図１１、Ｓ１０６：ＹＥＳ，Ｓ１１０、図１４、Ｓ１６１：ＮＯ，Ｓ１６２：ＮＯ，Ｓ１６３：ＹＥＳ）。変数ｐは「０」のままであり（Ｓ１６６：ＮＯ）、変数ｎ「１１３」＜変数Ｎ「１１４」であるので（Ｓ１６７：ＮＯ）、変数ｍに「１」が加算されて「１＋１＝２」となり（Ｓ１８０）、変数ｎに「１１４＋２＝１１６」がセットされるが（Ｓ１８１）、変数ｎ「１１６」＞最大管理番号「１１５」であるので（Ｓ１８２：ＹＥＳ）、変数ｐに「１」が加算されて「１」となる（Ｓ１８５）。変数ｐは「２」でないので（Ｓ１８６：ＮＯ）、Ｓ１７１へ進み、変数ｎに「１１４−２＝１１２」がセットされて（Ｓ１７１）、変数ｎ「１１２」＞最小管理番号「１０１」なので（Ｓ１７２：ＮＯ）、タイマカウンタがスタートされ（Ｓ１７３）、１１２番の島管理装置１００へ区分「１」、宛先「１１２」、送信元「１１４」の依頼情報を送信する（Ｓ１７４）。
【００８１】
依頼情報を受信した１１２番の島管理装置１００では（図１１、Ｓ１０４：ＹＥＳ）、探索アンテナ１１１から報知呼出波を送信し（図１３、Ｓ１４１）、受信処理を行う（Ｓ１４２）。そこで、１１２番の島管理装置１００の周囲にはＩＤコード「ａ７ｔ８ｅｂ４ｒ」の認証タグ５１１の携帯端末５１０を所有する係員がいるので、ＩＤコード「ａ７ｔ８ｅｂ４ｒ」を含む報知反射波を受信する（Ｓ１４３：ＹＥＳ）。そこで、依頼情報の送信元の島管理装置１００の管理番号「１１４」を宛先として報知済情報が作成、送信される（Ｓ１４５）。
【００８２】
１１４番の島管理装置１００では、１１２番の島管理装置１００が送信した報知済情報を受信したら（図１１、Ｓ１０６：ＹＥＳ，Ｓ１１０、図１４、Ｓ１６１：ＮＯ，Ｓ１６２：ＹＥＳ）、タイマカウンタをストップさせ（Ｓ１６４）、依頼フラグを「ＯＦＦ」する（Ｓ１６５）。
【００８３】
このようにして、ＲＷ３０から異常情報を受信した場合には、まず、報知呼出波が送信され自身の周囲にいる係員に報知される。しかし、報知反射波を受信できず、係員に報知されていない場合には、まず自身の管理番号よりも１番大きい番号（Ｎ＋ｍ，ｍ＝１）の島管理装置１００へ依頼情報が送信され、その島管理装置１００の周囲に報知呼出波が送信され、周囲にいる係員に報知される。しかし、Ｎ＋１番目の島管理装置１００においても係員に報知できなかった場合には、自身の管理番号よりも１番小さい番号（Ｎ−１，ｍ＝１）の島管理装置１００へ依頼情報が送信され、その島管理装置１００の周囲に報知呼出波が送信され、周囲にいる係員に報知される。しかし、Ｎ−１番目の島管理装置１００においても係員に報知できなかった場合には、自身の管理番号よりも２番大きい番号（Ｎ＋ｍ，ｍ＝２）の島管理装置１００へ依頼情報が送信され、その島管理装置１００の周囲に報知呼出波が送信され、周囲にいる係員に報知される。このように、島管理装置１００（遊技島２００）の距離関係に沿って島管理装置１００の管理番号を割り当てているので、自身に近い島管理装置１００から順に報知呼出波の送信を依頼することができる。
【００８４】
したがって、異常の発生したパチンコ機１の近くにいる係員が迅速に対応することができる。また、異常の発生したパチンコ機１が設置されている遊技島２００の島管理装置１００の周囲に係員がいなかった場合であっても、近い島管理装置１００から順に依頼情報を送信して、その島管理装置１００の近くにいる係員へ報知を行うことができるので、異常の発生したパチンコ機１の近くにいる係員が迅速に対応することができる。
【００８５】
７．携帯端末の動作の説明
次に、図１５及び図１６を参照して、携帯端末５１０の動作について説明する。図１５は、認証タグ５１１のＣＰＵ５１２で実施される認証タグ処理のフローチャートであり、図１６は、携帯端末５１０のＣＰＵ５２０で実施される携帯端末処理のフローチャートである。
【００８６】
図１５に示すように、認証タグ５１１は携帯端末５２０の電源がオンされると、図１５のフローチャートに示す認証タグ処理が開始される。そして、使用される記憶エリアの初期化等の初期処理が行われ（Ｓ１）、島管理装置１００から報知呼出波を受信したか否かの判断が行われる（Ｓ２）。報知呼出波を受信していれば（Ｓ２：ＹＥＳ）、受信した報知呼出波に含まれている異常情報が読み出され（Ｓ３）、読み出された異常情報が携帯端末５２０へ送信され（Ｓ４）、ＥＥＰＲＯＭ５１４に記憶されている自身のＩＤコードが読み出され、そのＩＤコードを含む報知反射波が認証タグアンテナ５１５から送信され（Ｓ５）、Ｓ２へ戻る。
【００８７】
また、報知呼出波を受信していなければ（Ｓ２：ＮＯ）、その他の処理が行われて（Ｓ６）、Ｓ２へ戻る。このような処理が繰り返されることにより、認証タグ５１１は島管理装置１００からの報知呼出波を受信して、その中に含まれている異常情報を携帯端末５１０へ引き渡している。
【００８８】
また、携帯端末５２０の電源がオンされると、図１６のフローチャートに示す携帯端末処理が開始される。そして、使用される記憶エリアの初期化等の初期処理が行われ（Ｓ１１）、認証タグ５１１から異常情報を受信したか否かの判断が行われる（Ｓ１２）。異常情報を受信していれば（Ｓ１２：ＹＥＳ）、島管理装置１００からの報知呼出波を認証タグ５１１が受信し、そこから読み出された異常情報が送信されてきたということなので、異常情報がＥＥＰＲＯＭ５２３へ記憶され（Ｓ１３）、表示パネル５２８へ異常の発生を示すメッセージが表示され、スピーカ５２７から異常の発生を警告する警告音（例えば、ピーピーピー）が出力される（Ｓ１４）。そして、Ｓ１２へ戻る。
【００８９】
また、異常情報を受信していない場合には（Ｓ１２：ＮＯ）、その他の処理が行われ（Ｓ１５）、Ｓ１２へ戻る。ここでは、入力ボタン５２６からの入力に応じた処理が行われる。例えば、所定のボタンが押下されると、スピーカ５２７から出力されている警告音が停止されたり、また、他の所定のボタンが押下されると、表示パネル５２８に表示されているメッセージが消去されたりする。また、他の所定のボタンが押下されると、過去の異常情報が履歴表示されたりする。このような処理が繰り返されることにより、携帯端末５１０では、認証タグ５１１が報知呼出波を受信すると、その中に含まれている異常情報の内容を報知している。
【００９０】
８．請求項との対比
図１２に示す報知処理のＳ１２２、図１３に示す依頼処理のＳ１４１の処理を行うＣＰＵ１０１が「報知呼出波送信手段」に相当し、図１１に示すメイン処理のＳ１０３及び図１２に示す報知処理のＳ１２２の処理を行うＣＰＵ１０１が「第１報知呼出波送信制御手段」に相当し、図１１に示すメイン処理のＳ１０４及び図１３に示す依頼処理のＳ１４１の処理を行うＣＰＵ１０１が「第２報知呼出波送信制御手段」に相当し、図１２に示す報知処理のＳ１２４の処理を行うＣＰＵ１０１が「報知反射波受信手段」に相当する。また、図１２に示す報知処理のＳ１２８、図１４に示す依頼中処理のＳ１７４，Ｓ１８４の処理を行うＣＰＵ１０１が「依頼情報送信手段」に相当し、図１４に示す依頼中処理の処理を行うＣＰＵ１０１が「依頼情報送信制御手段」に相当し、図１１に示すメイン処理のＳ１０４の処理を行うＣＰＵ１０１が「依頼情報受信手段」に相当する。
【００９１】
図１５に示す認証タグ処理のＳ２の処理を行うＣＰＵ５１２が「報知呼出波受信手段」に相当し、Ｓ３の処理を行うＣＰＵ５１２が「異常情報読出手段」に相当し、図に示すＳ５の処理を行うＣＰＵ５１２が「報知反射波送信手段」に相当する。また、図１６に示す携帯端末処理のＳ１４の処理を行うＣＰＵ５２０が「報知手段」に相当する。
【００９２】
９．変形例の説明
なお、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【００９３】
また、上記実施の形態では、被監視部材としてパチンコ機１の主基板ケース８１、本体枠１０と機枠１２、前面枠１１と本体枠１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。また、監視タグを設置する場所は各部材に一箇所である必要はなく、複数の位置に設置してもよい。さらに、遊技機がパチンコ機１でない場合にはもちろん、移動を監視される部材は上記実施の形態の部材に限らず、遊技機に備えられ、開閉が行われる開閉部材や装置を構成する構成部材であればよく、開閉部材の開閉や構成部材の所在を監視するために、１つ又は複数の監視タグを開閉部材や構成部材に設置して、その部材の移動を監視してもよい。
【００９４】
また、上記施の形態では、携帯端末５１０を認証タグ５１１を内蔵した、報知機能のみを持つ端末装置としたが、携帯端末５１０は他の機能を有していてもよいことはいうまでもない。例えば、電話機能やインターネット接続機能を有した携帯電話であってもよい。また、その形状は略直方体に限らず、その他の形状であってもよいことはいうまでもない。例えば、丸みを帯びていたり、楕円球形状であったりしてもよい。
【００９５】
また、上記実施の形態では、遊技島２００に複数の探索アンテナ１１１を設置したが、設置数や位置はこれに限らずより多くの探索アンテナ１１１を設置してもよく、遊技島２００が小さい場合にはより少ない数の探索アンテナ１１１を設置してもよく、遊技場の環境に合わせて、遊技島２００の周囲に隈なく探索アンテナ１１１の電波が届くように、探索アンテナ１１１の出力及び設置数を調整すればよい。
【００９６】
また、上記実施の形態では、全ての島管理装置１００へ依頼情報を送信しているが、異常の発生した遊技島２００から所定数（例えば、３棟）の遊技島２００の島管理装置１００までのみ依頼情報を送信するようにしてもよい。例えば、３棟までとする場合には、図１４に示す依頼中処理のＳ１７２において最小の管理番号と比較しているが、ここでは「Ｎ−３」と比較し、Ｓ１８２において最大の管理番号と比較しているが、ここでは「Ｎ＋３」と比較するようにすればよい。
【００９７】
また、他の島管理装置１００への依頼情報の送信順序は上記実施の形態に限らず、まず両隣の２台の島管理装置１００に同時に依頼情報を送信したり、両隣２台ずつの計４台の島管理装置１００に同時に依頼情報を送信したりしてもよい。また、上記実施の形態では、依頼情報を受信した島管理装置１００において、報知反射波を受信できなかった場合に「報知不能情報」を依頼元の島管理装置１００へ送信し、依頼元の島管理装置１００において次の島管理装置１００へ依頼情報を送信している。しかしながら、依頼情報を受信した島管理装置１００において報知できなかった場合の処理は、これに限らず、依頼情報を受信した島管理装置１００において次の島管理装置１００へ依頼情報を送信するようにしてもよい。
【産業上の利用可能性】
【００９８】
本発明の監視システム、遊技機及び携帯端末は、各種の遊技機用の監視システム及びその監視システムにより監視される各種の遊技機として、好適に用いることができる。
【図面の簡単な説明】
【００９９】
【図１】遊技場監視システムを示す構成図である。
【図２】遊技場監視システムを導入した遊技場内の外観を示す説明図である。
【図３】パチンコ機１の前面枠１１及び本体枠１０を開いた状態をパチンコ機１の前面から見た斜視図である。
【図４】パチンコ機１の背面図である。
【図５】パチンコ機１の電気的構成を示すブロック図である。
【図６】島管理装置１００の電気的構成を示すブロック図である。
【図７】携帯端末５１０の正面図である。
【図８】携帯端末５１０の電気的構成を示すブロック図である。
【図９】ＲＷ３０から島管理装置１００へ送信される異常情報１６０の模式図である。
【図１０】異常の発生した遊技機が設置されている島管理装置１００から近隣の島管理装置１００へ送信される依頼情報１６１の模式図である。
【図１１】メイン処理のフローチャートである。
【図１２】メイン処理で行われる報知処理のフローチャートである。
【図１３】メイン処理で行われる依頼処理のフローチャートである。
【図１４】メイン処理で行われる依頼中処理のフローチャートである。
【図１５】認証タグ処理のフローチャートである。
【図１６】携帯端末処理のフローチャートである。
【符号の説明】
【０１００】
１  パチンコ機
１０  本体枠
１１  前面枠
１２  機枠
３０  ＲＷ
３２  ＣＰＵ
６８  監視アンテナ
６８ａ  ケースアンテナ
６８ｂ  機枠アンテナ
６８ｃ  前面枠アンテナ
８１  主基板ケース
８２  払出制御基板ケース
８６  監視タグ
８６ａ  ケースタグ
８６ｂ  機枠タグ
８６ｃ  前面枠タグ
１００  島管理装置
１０１  ＣＰＵ
１０２  ＲＡＭ
１０３  ＲＯＭ
１０４  ＥＥＰＲＯＭ
１０８  ＲＦ回路
１１１  探索アンテナ
１５０  店内ネットワーク
１６０  異常情報
１６１  依頼情報
２００  遊技島
５１０  携帯端末
５１１  認証タグ
５１２  ＣＰＵ
５１３  ＲＦ回路
５１４  ＥＥＰＲＯＭ
５２０  ＣＰＵ
５２２  ＲＡＭ
５２３  ＥＥＰＲＯＭ
５２７  スピーカ
５２８  表示パネル
【図１】
2006288456.tif 000003
【図２】
2006288456.tif 000004
【図３】
2006288456.tif 000005
【図４】
2006288456.tif 000006
【図５】
2006288456.tif 000007
【図６】
2006288456.tif 000008
【図７】
2006288456.tif 000009
【図８】
2006288456.tif 000010
【図９】
2006288456.tif 000011
【図１０】
2006288456.tif 000012
【図１１】
2006288456.tif 000013
【図１２】
2006288456.tif 000014
【図１３】
2006288456.tif 000015
【図１４】
2006288456.tif 000016
【図１５】
2006288456.tif 000017
【図１６】
2006288456.tif 000018